(57)【要約】【課題】  中栓の注出口の開口にあたって、プルリングを垂直に引張り上げても、簡単に切断溝を切断でき、除去部を抜栓することができるキャップを提供すること。【解決手段】  容器本体の口筒部に被嵌する中栓と、蓋体とからなるキャップであって、中栓は、注出口を開口する切断溝を刻設した除去部に、支柱を介してプルリングを立設した底壁と内周壁を具備しており、プルリングの支柱が、底壁の除去部に外方に傾斜して立設されていることを特徴とする。【選択図】  図１
2008207855.tif 000002
【特許請求の範囲】
【請求項１】
容器本体の口筒部に被嵌する中栓と、蓋体とからなるキャップであって、
中栓は、注出口を開口する切断溝を刻設した除去部に、支柱を介してプルリングを立設した底壁と内周壁を具備しており、
プルリングの支柱が、底壁の除去部に外方に傾斜して立設されていることを特徴とするキャップ。
【請求項２】
支柱が、除去部の上面から外方に傾斜して立設される支柱部と、支柱部の両側に形成される側面補強部と、支柱部の外側面に形成される外面補強部とからなっていることを特徴とする請求項１記載のキャップ。
【請求項３】
除去部が、注出口部と、注出口部の巾より細巾に形成された支柱連設部と、支柱連設部の外側に形成された突出部とからなり、支柱連接部の外側に、突出する切断溝部と二つの平行する切断溝部が刻設されていることを特徴とする請求項１、２記載のキャップ。
【発明の詳細な説明】
【技術分野】
【０００１】
本発明は、キャップ、とくにプルリングを引上げて注出口の切断溝を切断して除去部を抜栓し、注出口を開口するようにしたキャップに関するものである。
【背景技術】
【０００２】
食料液などを収納する容器本体の口筒部に、注出筒を設けた中栓と蓋体とからなるキャップを被嵌し、中栓の注出口の開口にあたって、支柱を介して除去部に連設したプルリングを引張り上げ、切断溝を切断して除去部を抜栓し、注出口を形成するようにした容器は従来より知られている（例えば、特許文献１参照）。
【特許文献１】特開２００３−１０４４１７号公報
【発明の開示】
【発明が解決しようとする課題】
【０００３】
しかしながら、従来の容器は、中栓の注出口の開口にあたって、プルリングをキャップ中心側上方に引張ると、切断溝が容易に切断され問題はないが、プルリングを垂直に引張り上げると、除去部の支柱の連設部付近全体に上方に力が掛かり、切断溝を切開するために中心方向に働く分力が小さく、切断溝の切断に強い力が必要となり、なかなか切断できないという問題があった。
また、外側に引張ると、除去部を抜栓できないという問題があった。
【０００４】
本発明は、上記の問題を解決することを課題とし、中栓の注出口の開口にあたって、プルリングを垂直に引張り上げても、簡単に切断溝を切断でき、除去部を抜栓することができるキャップを提供することを目的とする。
【課題を解決するための手段】
【０００５】
本発明は、上記の課題を解決するため、キャップとして、容器本体の口筒部に被嵌する中栓と、蓋体とからなるキャップであって、中栓は、注出口を開口する切断溝を刻設した除去部に、支柱を介してプルリングを立設した底壁と内周壁を具備しており、プルリングの支柱が、底壁の除去部に外方に傾斜して立設されていることを特徴とする構成を採用する。
【０００６】
支柱の実施例として、支柱が、除去部の上面から外方に傾斜して立設される支柱部と、支柱部の両側に形成される側面補強部と、支柱部の外側面に形成される外面補強部とからなっていることを特徴とする構成を採用する。
【０００７】
除去部と切断溝の実施例として、除去部が、注出口部と、注出口部の巾より細巾に形成された支柱連設部と、支柱連設部の外側に形成された突出部とからなり、支柱連接部の外側に、突出する切断溝部と二つの平行する切断溝部が刻設されていることを特徴とする構成を採用する。
【発明の効果】
【０００８】
本発明は、注出口を開口する切断溝を刻設した除去部に、支柱を介してプルリングを立設した底壁を具備した注出筒を備えた中栓において、支柱が外方に傾斜して立設されているので、プルリングを垂直に引張ることで、除去部を垂直方向の力の他に、除去部内方に引張り力を発生させることができ、切断溝を簡単に切断することができる。
また、除去部の支柱連設部、および突出部に力を集中させることができ、より簡単に切断溝を切断することができる。
【発明を実施するための最良の形態】
【０００９】
次に、本発明のキャップの実施形態について、図面を参照して説明する。
図１において、Ａは容器本体、Ｂは容器本体Ａの口筒部に装着される中栓、Ｃは中栓Ｂの注出筒上部に脱着可能に装着される内キャップ、Ｄは容器内を密封する蓋体である。
容器本体Ａは、口筒部１と肩部２とを具えており、口筒部１には、上部外周に、係合部３が設けられ、その下方にネックリング４が設けられている。
【００１０】
図１、２に示すように、中栓Ｂは、内周壁５と、内周壁５の下端内周に連設される底壁６と、内周壁５の中間部外周に連設される上壁７と、上壁７の外縁下面に垂設される外筒８とを具えている。
内周壁５の外周上部には、内キャップＣと係合する係止部９が設けられ、外筒８の内周下部には、容器本体Ａの口筒部１の係合部３と係合する係合部１０が設けられている。
【００１１】
底壁６には、注出口を形成する除去部１１を切断する切断溝１２が刻設されている。
除去部１１は、注出口部１１ａと、支柱連設部１１ｂとから形成され、支柱連設部１１ｂの上面には、外方に一定角度ａに傾斜して延びる支柱１３が立設され、支柱１３の先端にはプルリング１４が連設されている。
除去部１１の支柱連設部１１ｂは、外側辺に突出部を設けたほぼ四角形に形成され、その横巾は、注出口部１１ａの巾より細巾に形成されている。
【００１２】
支柱１３は、除去部１１の支柱連設部１１ｂの上面から外方に向けて形成される支柱部１３ａと、支柱部１３ａの両側に形成される側面補強部１３ｂと、支柱部１３ａの外側面に形成される外面補強部１３ｃとからなっている。
また、除去部１１の支柱連設部１１ｂの外側には、支柱１３の外面補強部１３ｃの形状に係合する突出部１１ｃが形成されている。  
【００１３】
前記切断溝１２は、除去部１１の形状に合わせて形成されており、支柱連結部１１ｂの外側には、突出切断溝部１２ａと、平行する二つの切断溝部１２ｂとが設けられ、注出口部１１ａの外縁には、切断溝部１２ｃが設けられている。
【００１４】
内キャップＣは、注出筒１５と、注出筒１５下端外周に連設された上壁１６と、上壁１６下面に垂設され、外周が中栓Ｂの内周壁５内周に係合する内筒１７と、上壁１６外縁に垂設され、内周が中栓Ｂの内周壁５に装着される係合筒１８とを具えている。
係合筒１８には、内周に中栓Ｂの内周壁５外周の係止部９と係合する係止突部１９が設けられ、外周につまみ部２０が設けられている。
【００１５】
蓋体Ｄは、頂壁２５と、頂壁２５の中央下面に垂設され、外周が内キャップＣの注出筒１５内周に係合する係合筒２６と、頂壁２５下面の所定の位置に垂設され、内周が容器本体Ａの口筒部１のネックリング４に係合し、蓋体Ｄを容器本体Ａに装着する内筒２７と、頂壁２５外縁に垂設された外筒２８とを具えている。
【００１６】
次に、本実施例のキャップの作用効果について説明する。
キャップの使用にあたっては、容器本体Ａから蓋体Ｄを外し、開蓋した後、中栓Ｂの上部から内キャップＣを外す。
次に、中栓Ｂのプルリング１４に指などを掛けて上方に引張り、除去部１１を切断溝１２を介して底壁６から抜栓し、注出口を形成させる。
【００１７】
図３に示すように、中栓Ｂの抜栓の際には、除去部１１から延びる支柱１３があらかじめ外方に一定角度ａ傾斜して立設されているので、プルリング１４を垂直に引き上げた時でも、図３（ａ）に示すように、垂直の引張り力Ｆが、支柱１３の傾斜により、除去部１１の支柱連設部１１ｂを外側から内方に引張り力ｆが分力として作用する。
【００１８】
そして、図３（ｂ）に示すように、垂直の引張り力Ｆとともに支柱連設部１１ｂの外側の突出切断溝部１２ａに引張り力ｆが集中して切断される。
次いで、平行する切断部１２ｂにより、支柱連接部１１ｂが外側から内方へと切り離され、除去部１１を底壁６から容易に切り離し、抜栓することができる。
【００１９】
その際、除去部１１の突出部１１ｃは、支柱連設部１１ｂの外側の支柱１３の外面補強部１３ｃに係合して形成されているので、突出部１１ｃに切断力が集中して切断溝１２の突出部１１ｃ付近から切断され、また、除去部１１の支柱連設部１１ｂは、注出口部１１ａに比べ横巾が細巾であるので、切断力が集中し易くなり、除去部１１の切断が容易になる。
【００２０】
本発明の中栓Ｂは、除去部１１の抜栓時に、プルリング１４を垂直に引張っても、支柱１３の傾斜により垂直方向の力の他に、除去部の支柱連設部１１ｂの外側から内方に引張り力を発生させるので、除去部１１の支柱連設部１１ｂ、および突出部１１ｃに対する切断力を大きくさせることができ、従来のものに比べ簡単に切断溝１２を切断することができる。
さらに、外方に傾斜するように引張っても、角度ａ内であれば力を加えて切断することもできる。
抜栓後には、中栓Ｂに内キャップＣを被嵌し、その上から蓋体Ｄを被嵌しておく。
【００２１】
内容液の注出にあたっては、外蓋Ｄを取外して容器を傾け、内キャップＣの注出口１５より注出する。
その際、内容液を、内周壁５と内キャップＣの内筒１７内周と上壁１６下面の内方に溜められるので、内キャップＣの注出筒１５から一定の内容液を注ぐことができる。
また、容器本体Ａが押圧可能なものである場合には、容器本体Ａの胴部を押圧して、注出筒１５から勢いよく注出することができる。
【００２２】
また、内キャップＣを取外し、中栓Ｂの内周壁５内周を通じて注出することもできるが、その際には、容器の傾きを手加減により調節し、所望する注出量を得ることができる。
【００２３】
前記実施形態では、中栓Ｂと内キャップＣとを別体で形成したが、中栓Ｂの上部にヒンジを介して内キャップＣを連設して一体成形するようにしてもよい。
内キャップを中栓から外した際に、ヒンジで連設されているため、内キャップのみを紛失してしまうことを防止することができる。
【００２４】
本発明は、中栓Ｂの底壁６に関する発明であり、前記実施形態では、中栓Ｂの上部に内キャップＣを装着しているが、必要でなければ内キャップを設けなくてもよい。
また、蓋体Ｄの容器への装着方法も、例えば、中栓Ｂの外周にねじを設け、蓋体Ｄの内周と螺合させたり、中栓と蓋体とをヒンジを介して連設し装着されるようにしてもよい。
中栓の底壁に関する構成以外は、前記実施形態に限定されない。
【産業上の利用可能性】
【００２５】
本発明は、プルリングを垂直に引張ることで、注出口の除去部を垂直方向の力の他に、除去部の外側から内方に引張り力を発生させることができ、切断溝を簡単に切断することができる。
また、中栓に設けたプルリングを引張り、除去部を抜栓する容器であれば、内容液の如何にかかわらずどのような容器にも使用可能である。
【図面の簡単な説明】
【００２６】
【図１】本発明の容器の縦断正面図である。
【図２】中栓の説明図で（ａ）は上面図、（ｂ）は縦断正面図、（ｃ）は下面図である。
【図３】中栓の抜栓時の説明図で、（ａ）はプルリング引張り始め時、（ｂ）は除去部抜栓始め時である。
【符号の説明】
【００２７】
Ａ            容器本体
Ｂ            中栓
Ｃ            内キャップ
Ｄ            蓋体
Ｆ、ｆ        引張り力
１            口筒部
２            肩部
３            係合部
４            ネックリング
５            内周壁
６            底壁
７、１６      上壁
８、２８      外筒
９            係止部
１０          係合部
１１          除去部
１１ａ        注出口部
１１ｂ        支柱連設部
１１ｃ        突出部
１２          切断溝
１２ａ        突出切断溝部
１２ｂ、ｃ    切断溝部
１３          支柱
１３ａ        支柱部
１３ｂ        側面補強部
１３ｃ        外面補強部
１４          プルリング
１５          注出筒
１７、２７    内筒
１８、２６    係合筒
１９          係止突部
２０          つまみ部
２５          頂壁
【図１】
2008207855.tif 000003
【図２】
2008207855.tif 000004
【図３】
2008207855.tif 000005